(57)【要約】  複数枚のガラス板（２）を含む積層体（３）の輸送用であると共に、複数の防振器（６）を備えた防振パレットについて、複数の防振器（６）の少なくとも一つが、当該パレットを平面視する方向から視た際の所在位置の調節が可能な位置可変防振器である構成とした。
2018105615.tif 000002
【特許請求の範囲】
【請求項１】
複数枚のガラス板を含む積層体の輸送用であると共に、複数の防振器を備えた防振パレットであって、  前記複数の防振器の少なくとも一つが、当該防振パレットを平面視する方向から視た際の所在位置の調節が可能な位置可変防振器であることを特徴とする防振パレット。
【請求項２】
前記防振パレットは、前記複数の防振器を挟んで上下で対となると共に、該複数の防振器を固定可能な上側フレームと下側フレームとを備え、  前記位置可変防振器が、位置の調節に際して前記両フレームに対する固定の解除が可能であることを特徴とする請求項１に記載の防振パレット。
【請求項３】
前記下側フレームは、凹凸部を有し、  前記上側フレームは、前記下側フレームの凹凸部と嵌り合う凹凸部を有し、  前記下側フレームの凹凸部を前記上側フレームの凹凸部に嵌め合わすことによって前記防振パレット同士を装着状態で上下に積み重ね可能であることを特徴とする請求項２に記載の防振パレット。
【請求項４】
ガラス梱包体であって、  複数枚のガラス板を含む積層体と、前記積層体が保持固定される保持台とを備える梱包ユニットと、  請求項２に記載の防振パレットとを含み、  前記梱包ユニットが前記防振パレットに着脱可能に積載されることを特徴とするガラス梱包体。
【請求項５】
前記保持台の底部には、凹凸部が形成され、  前記上側フレームは、前記保持台の凹凸部と嵌り合う凹凸部を有し、  前記保持台の凹凸部を前記上側フレームの凹凸部に嵌め合わすことによって前記梱包ユニットが前記防振パレットに装着されることを特徴とする請求項４に記載のガラス梱包体。
【請求項６】
前記保持台には、前記複数枚のガラス板が傾斜姿勢で保持固定されており、  前記位置可変防振器は、前記複数枚のガラス板の積層方向に沿って位置の調節が可能であることを特徴とする請求項４又は５に記載のガラス梱包体。
【請求項７】
前記上側フレームの外周輪郭が平面視で矩形状をなし、  前記矩形状の四隅の各々に前記防振器が配置され、  前記矩形状の中央領域内に、前記積層方向に沿って位置の調節が可能である前記位置可変防振器が配置されることを特徴とする請求項６に記載のガラス梱包体。
【請求項８】
前記四隅の各々に配置された前記防振器が、前記位置可変防振器であり、前記積層方向に沿って位置の調節が可能であることを特徴とする請求項７に記載のガラス梱包体。
【請求項９】
前記中央領域内に配置された前記位置可変防振器が、取付け、及び、取外しが可能であることを特徴とする請求項７又は８に記載のガラス梱包体。
【請求項１０】
ガラス梱包体であって、  複数枚のガラス板を含む積層体と、前記積層体が保持固定される保持台とを備える梱包ユニットと、  防振器を備える防振パレットとを含み、  前記梱包ユニットが前記防振パレットに着脱可能に積載されることを特徴とするガラス梱包体。
【請求項１１】
前記保持台には、前記複数枚のガラス板が平置き姿勢で保持固定されると共に、  複数の前記梱包ユニットが上下に積み重ねられた状態で前記防振パレットに積載されていることを特徴とする請求項１０に記載のガラス梱包体。
【発明の詳細な説明】
【技術分野】
【０００１】  本発明は、防振パレットおよびガラス梱包体に関する。
【背景技術】
【０００２】  ガラス板の輸送では、複数枚のガラス板を含む積層体が積載されるパレットが用いられる。輸送時のガラス板の破損を防止するため、例えば、特許文献１に開示されているように、パレットに振動を吸収するために防振器を設ける場合がある。
【先行技術文献】
【特許文献】
【０００３】
【特許文献１】ＷＯ２００８／１０５１９０号公報
【発明の概要】
【発明が解決しようとする課題】
【０００４】  ところで、防振器を設けたパレットを用いてガラス板を輸送する場合でも、ガラス板が破損してしまうことがあった。詳述すると、積層体を構成するガラス板の枚数の多寡により当該積層体の重心位置が変化するため、ガラス板の枚数によってはパレットが傾いた状態となる。このような状態の下で輸送時の衝撃が加わると、パレット自体の傾斜や振動により積層体が位置ずれを起こして外物（例えば、輸送用のコンテナ内に設置されたフレーム等）と衝突しやすくなり、結果としてガラス板が破損してしまうことがあった。【０００５】  本発明は、輸送時のガラス板の破損を確実に防止することを第一の技術的課題とする。【０００６】  また、ガラス板の輸送に際しては、これに要するコストを可及的に削減することも望まれている。本発明は、ガラス板の輸送に要するコストを可及的に削減することを第二の技術的課題とする。
【課題を解決するための手段】
【０００７】  上記の第一の技術的課題を解決するために創案された本発明に係る防振パレットは、複数枚のガラス板を含む積層体の輸送用であると共に、複数の防振器を備えた防振パレットであって、複数の防振器の少なくとも一つが、当該防振パレットを平面視する方向から視た際の所在位置の調節が可能な位置可変防振器であることに特徴付けられる。【０００８】  このような構成によれば、位置可変防振器について、防振パレットを平面視する方向から視た際の所在位置の調節が可能であるため、ガラス板の枚数の多寡により積層体の重心位置が変化した場合でも、この変化に対して好適に対応することができる。すなわち、本構成では、積層体の重心位置が変化したとしても、この変化に合わせて位置可変防振器の所在位置を調節することで、防振パレットの傾きを防止することが可能となる。これにより、輸送時の衝撃が加わったとしても、防振パレット自体の傾きや振動により積層体が位置ずれを起こして外物と衝突するような事態の発生を回避できる。その結果、ガラス板の破損を確実に防止することが可能となる。【０００９】  上記の構成において、防振パレットは、複数の防振器を挟んで上下で対となると共に、複数の防振器を固定可能な上側フレームと下側フレームとを備え、位置可変防振器が、位置の調節に際して両フレームに対する固定の解除が可能であることが好ましい。このようにすれば、両フレームに対する固定の解除と、位置の調節と、両フレームに対する再固定とを位置可変防振器について行うのみで、位置可変防振器の位置の調節が可能である。従って、簡便かつ迅速に調節を行うことが可能である。【００１０】  上記の構成において、下側フレームは、凹凸部を有し、上側フレームは、下側フレームの凹凸部と嵌り合う凹凸部を有し、下側フレームの凹凸部を上側フレームの凹凸部に嵌め合わすことによって防振パレット同士を装着状態で上下に積み重ね可能であることが好ましい。これにより、防振パレットのみを保管又は輸送する場合に、凹凸部の案内によって容易に上下に積み重ねることが可能となる。また、凹凸部の嵌め合いによって互いに拘束されるので、荷崩れの発生を低減することができる。さらに、上下に積み重ねることで保管又は輸送に要するスペースを削減でき、効率よく保管又は輸送できる。【００１１】  上記の第一の技術的課題を解決するために創案された本発明に係るガラス梱包体は、複数枚のガラス板を含む積層体と、積層体が保持固定される保持台とを備える梱包ユニットと、上記防振パレットとを含み、梱包ユニットが防振パレットに着脱可能に積載されることに特徴付けられる。【００１２】  このようにすれば、梱包ユニットを防振パレットに積載することで、輸送時に加わる衝撃を吸収する機能を付与できるようになる。そして、梱包ユニットと防振パレットは容易に分離できることから、輸送に際しては、輸送される梱包ユニットの数（同時に輸送可能な梱包ユニットの上限数）と同じ数の分だけ防振パレットを準備すればよく、梱包ユニットの総数と同数の防振パレットを準備する必要がなくなる。一方、本構成とは異なり、保持台が防振パレットと一体とされて分離不能である場合には、必然的に保持台（梱包ユニット）の総数と同数の防振パレットを準備する必要が生じる。このように本構成では輸送される梱包ユニットの数を超える数の防振パレットを準備する必要がなくなるため、その分だけコストの削減を図ることが可能となる。さらに、本構成によれば、以下のような不具合の発生をも好適に回避できる。すなわち、保持台が防振パレットと一体とされて分離不能である場合には、梱包時に保持台に積載されるガラス板の枚数が増加していくのに従って、積層体の重さの増加で防振器が縮み、結果として積層体が載置される載置面の高さが下方に変位していく。また、開梱時に保持台に積載されるガラス板の枚数が減少していくのに従って、積層体の重さの減少で防振器が伸び、結果として積層体が載置される載置面の高さが上方に変位していく。そして、これらの変位に起因してガラス板が破損するおそれがあった。しかしながら、本構成によれば、防振パレットと分離された状態の保持台に対してガラス板を積載していくことが可能であることから、梱包及び開梱の作業中に積層体の載置面の高さが変位することを確実に防止できる。その結果、上記のような不具合の発生を好適に回避することが可能となる。【００１３】  上記の構成において、保持台の底部には、凹凸部が形成され、上側フレームは、保持台の凹凸部と嵌り合う凹凸部を有し、保持台の凹凸部を上側フレームの凹凸部に嵌め合わすことによって梱包ユニットが防振パレットに装着されることが好ましい。このようにすれば、保持台の凹凸部と上側フレームの凹凸部とが嵌り合うことで、保持台と防振パレットの不当な位置ずれを確実に回避できる。さらには、凹凸部の存在により防振パレットへの梱包ユニットの装着を案内できるため、積載に要する作業の効率化を図ることが可能となる。【００１４】  上記の構成において、保持台には、複数枚のガラス板が傾斜姿勢で保持固定されており、位置可変防振器は、複数枚のガラス板の積層方向に沿って位置の調節が可能であることが好ましい。このようにすれば、積層体を構成するガラス板の枚数の多寡により積層方向に沿って変化しやすい積層体の重心位置に対し、位置可変防振器の位置が積層方向に沿って調節が可能であることで好適に対応できる。【００１５】  上記の構成において、上側フレームの外周輪郭が平面視で矩形状をなし、矩形状の四隅の各々に防振器が配置され、矩形状の中央領域内に、積層方向に沿って位置の調節が可能である位置可変防振器が配置されることが好ましい。このようにすれば、四隅の各々に防振器が配置されていることで、輸送時のパレットを傾かせることなく可及的に安定させることが可能となる。その上、中央領域内に配置される位置可変防振器が、積層方向に沿って位置の調節が可能であることから、積層方向に沿った積層体の重心位置の変化についても好適に対応できる。【００１６】  上記の構成において、四隅の各々に配置された防振器が位置可変防振器であり、積層方向に沿って位置の調節が可能であることが好ましい。このようにすれば、四隅の位置可変防振器のそれぞれが積層方向に沿って位置の調節が可能であることから、積層方向に沿った積層体の重心位置の変化に対し、より緻密に対応できる。【００１７】  上記の構成において、中央領域内に配置された位置可変��振器が、取付け、及び、取外しが可能であることが好ましい。このようにすれば、積層体を構成するガラス板の枚数の多寡による積層体の重量の変化に応じ、中央領域内の位置可変防振器を取り付け又は取り外すことで、防振器の負荷を好適な範囲に維持できる。このため、防振器を好適な状態で動作させることができ、ガラス板の破損をより確実に防止できると共に、防振器の損傷を防止できる。【００１８】  さらに、上記の第二の技術的課題を解決するために創案された本発明に係るガラス梱包体は、複数枚のガラス板を含む積層体と、積層体が保持固定される保持台とを備える梱包ユニットと、防振器を備える防振パレットとを含み、梱包ユニットが防振パレットに着脱可能に積載されることに特徴付けられる。【００１９】  このような構成においても、輸送される梱包ユニットの数を超える数の防振パレットを準備する必要性を排除できることから、ガラス板の輸送に要するコストを可及的に削減することが可能となる。【００２０】  上記の構成において、保持台には、複数枚のガラス板が平置き姿勢で保持固定されると共に、複数の梱包ユニットが上下に積み重ねられた状態で防振パレットに積載されていることが好ましい。このようにすれば、一つの防振パレットに対して複数の梱包ユニットを積み重ねて輸送することが可能となるため、更なるコストの削減を実現できる。
【発明の効果】
【００２１】  本発明によれば、輸送時のガラス板の破損を確実に防止することができる。さらに、ガラス板の輸送に要するコストを可及的に削減することが可能となる。
【図面の簡単な説明】
【００２２】
【図１】ガラス梱包体を示す側面図である。
【図２】防振器を示す斜視図である。
【図３】防振器の変形例を示す斜視図である。
【図４】上側フレームを示す底面図である。
【図５】防振器の周辺を拡大して示す斜視図である。
【図６ａ】防振器の位置を調節するための機構を示す斜視図である。
【図６ｂ】防振器の位置を調節するための機構を示す斜視図である。
【図７】防振器の位置を調節するための機構を示す斜視図である。
【図８】ガラス梱包体の変形例を示す側面図である。
【図９】上側フレームの変形例を示す斜視図である。
【発明を実施するための形態】
【００２３】  以下、本発明の実施形態を添付の図面を参照しながら説明する。
【００２４】  図１に示すように、本実施形態に係るガラス梱包体１は、複数枚のガラス板２が傾斜姿勢で積層されている積層体３と、積層体３を保持固定した保持台４と、防振パレット５とを備えている。このような本実施形態では、積層体３が保持固定されている状態の保持台４が、防振パレット５に着脱可能に積載される梱包ユニットＵ（荷物）となる。なお、積層体３は、ガラス板２同士の間に挿入される保護シート（例えばガラス合紙や発泡樹脂シート）を含んでもよい。また、積層体３は、保持台４が備える押さえ具（図示省略）によって保持台４に保持固定されている。押さえ具としては、例えばベルトや押さえ板を用いることができる。
【００２５】  梱包ユニットＵと防振パレット５との両者は、分離が可能となっている。防振パレット５への梱包ユニットＵの積載に際しては、保持台４の底部に形成された凹凸部としての穴部４ａと、防振パレット５（上側フレーム７）の上方に設けられた凹凸部としての突起部５ａとが利用される。そして、突起部５ａを穴部４ａに挿入して嵌め合せることで、保持台４が案内される。さらに、突起部５ａと穴部４ａとが嵌り合うことにより、ガラス梱包体１の輸送中における両者４，５の間での位置ずれが回避される。なお、勿論ではあるが、本実施形態の変形例として、保持台４に突起部が形成され、防振パレット５に穴部が形成されていてもよい。
【００２６】  防振パレット５は、複数の防振器６と、複数の防振器６を挟んで上下（図１に示すＺ方向）で対となる上側フレーム７、及び、下側フレーム８とを備えている。なお、上側フレーム７は、梱包ユニットＵ（荷物）が収納される荷台部である。下側フレーム８は、防振器６を介して上側フレーム７（荷台部）を保持する基台部であり、下側フレーム８の下面は、床面やトラックの荷台などに載置される。
【００２７】  図２に示すように、複数の防振器６の各々は、中心軸Ｓが水平面と平行になるように配置された螺旋状弾性体９と、螺旋状弾性体９を保持する一対の保持具１０，１１とを備え、全体として略円筒状をなす。なお、螺旋状弾性体９は、実際にはゴム材１２（図５を参照）に埋設されているが、図２には仮想的に螺旋状弾性体９を剥き出しにした状態を示している。
【００２８】  螺旋状弾性体９は、ゴム材を含む樹脂材などであってもよいが、本実施形態では金属線が編まれて形成された金属製ワイヤーロープ（金属材）である。特に、金属材は、耐久性や耐環境性の観点から、ステンレス材であることが好ましい。
【００２９】  詳細には、螺旋状弾性体９は、その中間部で二つに折り曲げられた金属製ワイヤーロープが同一中心軸で逆巻きの螺旋を描いて互いに異なる端部に向かって巻回されている。各保持具１０，１１は、長尺な板材であり、その長手方向に間隔を置いて螺旋状弾性体９を挿通するための複数の貫通孔１０ａ，１１ａを有する。螺旋状弾性体９は、保持具１０と保持具１１の各貫通孔１０ａ，１１ａに交互に挿通され、螺旋状に巻回された状態を維持する。各保持具１０，１１は、螺旋状弾性体９の中心軸Ｓと平行で、且つ、中心軸Ｓを挟んで上下方向に対向するように配置される。すなわち、本実施形態では、防振器６の長手方向が、螺旋状弾性体９の中心軸Ｓの方向と一致する。
【００３０】  ここで、本実施形態の変形例として、図３に示すように、螺旋状弾性体９は、その中間部にて金属製ワイヤーロープが捻じられたものであってもよい。そして、捻じられた箇所を境界として金属製ワイヤーロープの一方側と他方側とが相互に逆巻きの螺旋を描くように巻回されていてもよい。
【００３１】  各保持具１０，１１は、取付穴１０ｂ，１１ｂを有しており、この取付穴１０ｂ，１１ｂにネジなどの固定部材が挿通される。
【００３２】  複数の防振器６の全ては、防振パレット５を平面視する方向（図１に示すＺ方向）から視た際の所在位置の調節が可能な位置可変防振器となっており、複数枚のガラス板２の積層方向（図１に示すＹ方向）に沿って位置の調節が可能である。これにより、ガラス板２の枚数の多寡による積層体３の重心位置の変化に対応することができ、防振パレット５の傾きを回避することが可能である。
【００３３】  複数の防振器６は、上側フレーム７と下側フレーム８との両者に固定可能であると共に、位置の調節に際して両者７，８に対する固定の解除が可能である。この点については後に詳述する。
【００３４】  上側フレーム７と下側フレーム８との両者は、相互に上下が反転しているだけで同一の構成を有する。そのため、両者のうちの上側フレーム７についてのみ説明する。図４に示すように、上側フレーム７は、Ｚ方向から視てその外周輪郭が矩形状をなす。この上側フレーム７は、枠体１３と、枠体１３の間に縦横に配置された支持桟１４とを備える。枠体１３及び支持桟１４は、金属製（好ましくはステレンレス製）であると共に、固定具を挿入して固定するための多数の挿入穴１５ａ，１５ｂが形成されている。固定具としては、例えばボルト及びナットを使用することができる。また、ピンを使用することもできる。挿入穴１５ａ，１５ｂに雌ねじを形成する場合、雄ねじを使用することもできる。
【００３５】  複数の防振器６の各々は、図４に示す円Ｃで囲った箇所に配置されている。すなわち、本実施形態では、上側フレーム７の外周輪郭がなす矩形状の四隅の各々に一つずつと、矩形状の中央領域内の三つとの合計七つの防振器６が配置されている。なお、ここで言う「中央領域」とは、枠体１３よりも矩形状の内側の箇所を意味する。各防振器６は、円Ｃの中心に配置されており、円Ｃの中心から矢印Ｒで示す方向に移動させて位置を調節することが可能となっている。
【００３６】  ここで、本実施形態の変形例として、七つのうちの一部の防振器６のみが位置の調節が可能な位置可変防振器であってもよい。一例として、中央領域内の三つの防振器６のみが位置可変防振器であってよい。また、防振器６の数は、例えば、積層体３の重量に合わせて増減させて構わない。すなわち、防振器６の数は八つ以上であってもよいし、六つ以下であってもよい。さらに、防振器６の配置についても、図４に示した配置に限定されるものではなく、防振パレット５の傾きを回避できる限りで変更を加えてよい。
【００３７】  本実施形態では、四隅に配置された各防振器６と、中央領域内に配置された各防振器６との間において、位置を調節する態様が異なっている。まず、中央領域内に配置された各防振器６について、位置を調節する態様を説明する。
【００３８】  中央領域内に配置された各防振器６は、図１に示すように、上下一対の板体１６，１６の相互間に固定されており、一対の板体１６，１６と一体に移動する構成となっている。一対の板体１６，１６の各々には、Ｚ方向に孔軸が延びた貫通孔（図示省略）が形成されており、貫通孔には固定具を挿通させることが可能となっている。そして、位置の調節の前後においては、各板体１６の貫通孔を挿通した固定具が、図４に示した挿入穴１５ａに挿入されて固定された状態にあることで、上側フレーム７および下側フレーム８に対して各板体１６が固定された状態にある。これにより、各板体１６と固定された防振器６についても上側フレーム７および下側フレーム８に対して固定された状態にある。
【００３９】  防振器６の位置を調節するに際しては、最初に、挿入穴１５ａから固定具を取り外すことで、各板体１６および防振器６について、上側フレーム７および下側フレーム８に対する固定を解除する。次いで、Ｙ方向に沿って各板体１６および防振器６を移動させることで、新たに防振器６を固定するべき位置の調節を行う。最後に、固定するべき位置が定まると、位置の調節前とは異なる挿入穴１５ａに固定具を挿入して固定する。これにより、調節後の位置にて防振器６が上側フレーム７および下側フレーム８に対して固定された状態となる。以上が位置の調節の態様である。
【００４０】  なお、中央領域内に配置された各防振器６は、一対の板体１６，１６と共に防振パレット５への取付け、及び、取外しが可能となっている。これにより、積層体３の重量が相対的に軽い場合には任意に取外せると共に、相対的に重い場合には任意に取付けることが可能である。
【００４１】  次に、四隅に配置された各防振器６について、位置を調節する態様を説明する。
【００４２】  図５に示すように、四隅に配置された各防振器６は、上下一対の保持板１７，１７の相互間に固定されており、一対の保持板１７，１７と一体に移動する構成となっている。一対のうちの上側に配置された保持板１７は、当該保持板１７の上面に対向して配置された座板１８に対してＹ方向にスライドして移動が可能である。同様にして、一対のうちの下側に配置された保持板１７は、その下面に対向して配置された座板１８に対してＹ方向にスライドして移動できる。上下で対となる二つの座板１８の各々には、固定具を挿通させるための貫通孔１８ａが形成されている。この貫通孔１８ａを挿通した固定具が、図４に示した挿入穴１５ｂに固定されることで、二つの座板１８がそれぞれ上側フレーム７および下側フレーム８に固定されている。
【００４３】  以上のことから、本実施形態においては、上側フレーム７および下側フレーム８にそれぞれ固定された状態にある二つの座板１８に対し、一対の保持板１７，１７および防振器６が一体となってＹ方向にスライドして移動することにより、防振器６の位置の調節がなされる。
【００４４】  以下、一対の保持板１７，１７および防振器６をスライドさせて移動させるための機構の詳細について説明する。
【００４５】  図６ａは、二つの座板１８のうちの下側に配置された座板１８を示している。また、図６ｂは、図６ａに示した座板１８を裏返した状態を示している。なお、上側に配置された座板１８は、下側に配置された座板１８と上下が反転している点が相違するだけで同一の構成を有する。そのため、ここでは下側に配置された座板１８についてのみ説明する。
【００４６】  図６ａおよび図６ｂに示すように、座板１８には、Ｙ方向に長尺となる長孔１８ｂ（貫通孔）が形成されている。また、座板１８の上面側には、Ｙ方向に沿ってスライドして移動が可能なスライド板１９と、スライド板１９を挟んでＸ方向の両側に配置され、スライド板１９の移動を案内するための複数の円柱状の突起物２０とが配置されている。スライド板１９には、固定具を挿通させるための貫通孔１９ａが形成されている。この貫通孔１９ａは、スライド板１９の移動に伴って座板１８の長孔１８ｂに沿って移動する。そして、これら両孔１８ｂ，１９ａに挿通させた固定具によってスライド板１９を下側フレーム８に固定すれば、スライド板１９が移動不能となる。一方、固定具による固定を解除すれば、スライド板１９がＹ方向に沿って移動が可能な状態となる。
【００４７】  図７に示すように、上記のスライド板１９の上面に保持板１７が固定されている。これにより、保持板１７は、スライド板１９の移動と同期して自身もスライドして移動する構成となっている。そして、保持板１７に形成された挿入穴１７ａに対し、防振器６の取付穴１１ｂに挿通させた固定具が挿入されて固定されることで、保持板１７と防振器６とが固定される。これにより、保持板１７の移動に伴って防振器６が一体となってスライドして移動する構成となっている。なお、保持板１７およびスライド板１９の移動には、公知の送り機構や案内機構を利用してもよい。一例としては、保持板１７或いはスライド板１９と連結されたネジ機構を利用して両者１７，１９を移動させることが可能である。以上に説明した機構が、一対の保持板１７，１７および防振器６をスライドさせて移動させるための機構である。
【００４８】  なお、四隅に配置された各防振器６と、中央領域内に配置された各防振器６とのいずれの位置の調節についても、梱包ユニットＵが防振パレット５に積載された状態の下で行ってもよいし、荷卸した状態の下で行ってもよい。また、積載された状態での防振パレット５の傾きを確認しつつ、両者４，５の積載と荷卸とを繰り返しながら各防振器６の位置の調節を行ってもよい。
【００４９】  ここで、本発明に係るパレット（防振パレット）およびガラス梱包体は、本実施形態で説明した構成に限定されるものではない。例えば、本実施形態のガラス梱包体１は、複数枚のガラス板２が傾斜姿勢で積層されてなる積層体３の輸送用であるが、この限りではない。ガラス梱包体１の変形例として、図８に示すように、複数枚のガラス板２が平置き姿勢で積層されてなる積層体３の輸送用であってもよい。この場合、同図に示すように、梱包ユニットＵが上下複数段（ここでは、上下二段の場合を例示しているが、三段以上であってもよい）に積み重ねられていてもよい。
【００５０】  また、本実施形態では、中央領域内に配置された各防振器６について、上側フレーム７（下側フレーム８）に形成された多数の挿入穴１５ａを利用して位置を調節する構成となっているが、これに限定されるものではない。例えば、図９に示すように、上側フレーム７（下側フレーム８）の枠体１３や支持桟１４にそれぞれ長孔２１を設け、この長孔２１を利用して位置を調節する構成としてもよい。
【００５１】  さらに、本実施形態では、防振器６の位置をＹ方向に沿ってのみ調節する構成となっているが、この限りではなく、Ｙ方向に加えてＸ方向にも調節できる構成としても構わない。また、本実施形態では、防振パレット５が梱包ユニットＵ（保持台４）を積載可能となっているが、例えば、保持台４を防振パレット５と一体化して分離不能とし、防振器６の所在位置の調節が可能な構成としてもよい。
【００５２】  本実施形態では、中心軸Ｓが横を向く（水平方向に延びる）ように配置された螺旋状弾性体９を備える防振器を用いるが、この限りではなく、中心軸Ｓが縦を向く（上下方向に延びる）ように配置された螺旋状弾性体９を備える防振器を用いてもよい。また、螺旋状弾性体９でなく、防振ゴムや空気ばねを防振器として用いてもよい。
【００５３】  中心軸Ｓが横を向く（水平方向に延びる）ように配置された螺旋状弾性体９を備える防振器を用いれば、外部からの衝撃入力に対して防振器の螺旋状弾性体９が柔軟に変形するため、あらゆる方向からの同時発生的な衝撃入力を十分に吸収することができる。詳細には、螺旋状弾性体９において、縦方向衝撃を吸収する変形（圧縮変形）と、横方向衝撃を吸収する変形（せん断又はロール変形）とが異なる要素の変形となる。すなわち、縦方向衝撃を吸収する変形と、横方向衝撃を吸収する変形は、互いに独立して生じ得るため、同時にこれらの変形が生じても各変形が互いに阻害し合うことがない。そのため、上述のように、あらゆる方向からの同時発生的な衝撃入力を十分に吸収することができる。加えて、横方向衝撃を吸収する際に、倒立振り子のような横揺れが生じにくいため、上側フレームが傾きにくい。そのため、梱包ユニットＵに揺れに伴う不当な振動が生じにくくなる。したがって、上記の衝撃吸収効果と振動防止効果により、輸送時の無機脆性材料の破損を確実に防止することが可能となる。
【００５４】  本実施形態では、防振パレット５が備える複数の防振器６の少なくとも一つが位置可変防振器６であるが、この限りではなく、防振パレット５が所在位置の調節が不能な防振器６のみを備え、梱包ユニットＵが防振パレット５に着脱可能に積載される構成としてもよい。
【００５５】  本実施形態では、防振パレット５の上側フレーム７のみが凹凸部としての突起部５ａを有するが、この限りではなく、下側フレーム８も上側フレーム７の凹凸部と嵌り合う凹凸部を有してもよい。この場合、下側フレーム８の凹凸部を上側フレーム７の凹凸部に嵌め合わすことによって防振パレット５同士を装着状態で上下に積み重ね可能とする。これにより、防振パレット５のみを保管又は輸送する場合に、凹凸部の案内によって容易に上下に積み重ねることが可能となる。また、凹凸部の嵌め合いによって互いに拘束されるので、荷崩れの発生を低減することができる。さらに、上下に積み重ね可能ることで保管又は輸送に要するスペースを削減でき、効率よく保管又は輸送できる。
【符号の説明】
【００５６】１          ガラス梱包体２          ガラス板３          積層体４          保持台４ａ        穴部５          防振パレット５ａ        突起部６          防振器７          上側フレーム（荷台部）８          下側フレーム（基台部）Ｕ          梱包ユニット（荷物）
【図１】
2018105615.tif 000003
【図２】
2018105615.tif 000004
【図３】
2018105615.tif 000005
【図４】
2018105615.tif 000006
【図５】
2018105615.tif 000007
【図６ａ】
2018105615.tif 000008
【図６ｂ】
2018105615.tif 000009
【図７】
2018105615.tif 000010
【図８】
2018105615.tif 000011
【図９】
2018105615.tif 000012
【国際調査報告】
2018105615.tif 000013
2018105615.tif 000014
2018105615.tif 000015
2018105615.tif 000016